(57)【要約】  本願の実施例は、サイドリンク通信方法、端末デバイス及びネットワークデバイスを開示し、該方法は、第１の端末デバイスが該第１の端末デバイスのサイドリンク通信のための少なくとも１つの周波数領域リソースを取得することと、該第１の端末デバイスが該少なくとも１つの周波数領域リソースから第１の周波数領域リソースを決定することとを含む。本願の実施例に係る方法、端末デバイス及びネットワークデバイスによって、サイドリンク通信の性能を向上させるのに有利である。
2021530915.tif 000002
【特許請求の範囲】
【請求項１】
第１の端末デバイスが前記第１の端末デバイスのサイドリンク通信のための少なくとも１つの周波数領域リソースを取得することと、
前記第１の端末デバイスが前記少なくとも１つの周波数領域リソースから第１の周波数領域リソースを決定することとを含む
ことを特徴とするサイドリンク通信方法。
【請求項２】
前記第１の端末デバイスが前記第１の端末デバイスのサイドリンク通信のための少なくとも１つの周波数領域リソースを取得することは、
前記第１の端末デバイスが事前構成に従って前記少なくとも１つの周波数領域リソースを取得することを含む
ことを特徴とする請求項１に記載のサイドリンク通信方法。
【請求項３】
前記第１の端末デバイスが前記第１の端末デバイスのサイドリンク通信のための少なくとも１つの周波数領域リソースを取得することは、
前記第１の端末デバイスがネットワークデバイスにより送信された第１の指示情報を受信し、前記第１の指示情報が前記第１の端末デバイスのために構成された前記少なくとも１つの周波数領域リソースを示すために使用されることと、
前記第１の端末デバイスが前記第１の指示情報に基づいて、前記少なくとも１つの周波数領域リソースを取得することとを含む
ことを特徴とする請求項１に記載のサイドリンク通信方法。
【請求項４】
前記第１の端末デバイスが前記少なくとも１つの周波数領域リソースから第１の周波数領域リソースを決定することは、 
前記第１の端末デバイスが前記ネットワークデバイスにより送信された第２の指示情報を受信し、前記第２の指示情報が前記第１の周波数領域リソースを示すために使用されることと、
前記第１の端末デバイスが前記第２の指示情報に基づいて、前記第１の指示情報が示す前記少なくとも１つの周波数領域リソースから前記第１の周波数領域リソースを決定することとを含む
ことを特徴とする請求項３に記載のサイドリンク通信方法。
【請求項５】
前記第１の端末デバイスが前記第１の指示情報を受信する前に、前記方法は、さらに、
前記第１の端末デバイスが、前記第１の端末デバイスがサポートする周波数領域リソースの能力及び／又は前記第１の端末デバイスのサービス情報を前記ネットワークデバイスに報告することを含む
ことを特徴とする請求項３又は４に記載のサイドリンク通信方法。
【請求項６】
前記第１の指示情報は、前記少なくとも１つの周波数領域リソースの各周波数領域リソースの時間周波数位置を示す
ことを特徴とする請求項３〜５のいずれか１項に記載のサイドリンク通信方法。
【請求項７】
前記第１の指示情報が複数の端末デバイスのために構成されたサイドリンク通信のための周波数領域リソースを示し、前記複数の端末デバイスが異なる周波数領域リソースをサポートする能力を有し、前記複数の端末デバイスが前記第１の端末デバイスを含む
ことを特徴とする請求項３〜６のいずれか１項に記載のサイドリンク通信方法。
【請求項８】
前記複数の端末デバイスのうちの第２の端末デバイスのために構成されたサイドリンク通信のための周波数領域リソースの周波数領域範囲は、前記複数の端末デバイスのうちの第３の端末デバイスのために構成されたサイドリンク通信のための周波数領域リソースの周波数領域範囲をカバーし、前記第２の端末デバイスがサポートする周波数領域リソースの能力は、前記第３の端末デバイスがサポートする周波数領域リソースの能力より大きい
ことを特徴とする請求項７に記載のサイドリンク通信方法。
【請求項９】
前記第１の指示情報は、さらに、前記少なくとも１つの周波数領域リソースに対応するパラメータセットを示す
ことを特徴とする請求項３〜８のいずれか１項に記載のサイドリンク通信方法。
【請求項１０】
前記第１の端末デバイスが前記少なくとも１つの周波数領域リソースから第１の周波数領域リソースを決定することは、
前記第１の端末デバイスが前記異なる周波数領域リソースに対応するパラメータセットに基づいて、前記少なくとも１つの周波数領域リソースから前記第１の周波数領域リソースを決定することを含む
ことを特徴とする請求項９に記載のサイドリンク通信方法。
【請求項１１】
前記第１の端末デバイスが前記異なる周波数領域リソースに対応するパラメータセットに基づいて、前記少なくとも１つの周波数領域リソースから前記第１の周波数領域リソースを決定することは、
前記第１の端末デバイスが前記異なる周波数領域リソースに対応するパラメータセットと、前記第１の端末デバイスのサービス情報、周波数領域リソースと前記サービス情報との対応関係及びパラメータセットと前記サービス情報との対応関係のうちの少なくとも１つとに基づいて、前記少なくとも１つの周波数領域リソースから前記第１の周波数領域リソースを決定することを含む
ことを特徴とする請求項１０に記載のサイドリンク通信方法。
【請求項１２】
前記サービス情報は、プロバイダサービス識別子ＰＳＩＤ、目標アドレス及びサービス品質Ｑｏｓ情報のうちの少なくとも１つを含む
ことを特徴とする請求項５又は１１に記載のサイドリンク通信方法。
【請求項１３】
前記第１の周波数領域リソースは、送信周波数領域リソースである
ことを特徴とする請求項１〜１２のいずれか１項に記載のサイドリンク通信方法。
【請求項１４】
前記方法は、さらに、
前記第１の端末デバイスが前記第１の周波数領域リソースにおいてサイドリンク送信するかどうかを決定することを含む
ことを特徴とする請求項１３に記載のサイドリンク通信方法。
【請求項１５】
前記第１の端末デバイスが前記第１の周波数領域リソースにおいてサイドリンク送信するかどうかを決定することは、
現在に上り伝送が存在しない場合、前記第１の端末デバイスが前記第１の周波数領域リソースにおいてサイドリンク送信すると決定することを含む
ことを特徴とする請求項１４に記載のサイドリンク通信方法。
【請求項１６】
現在のサイドリンク送信と隣接する上り伝送とは、周波数領域リソースの切り替えを行うための十分な時間を有する
ことを特徴とする請求項１５に記載のサイドリンク通信方法。
【請求項１７】
前記第１の端末デバイスが前記第１の周波数領域リソースにおいてサイドリンク送信するかどうかを決定することは、
現在に上り伝送が存在し、前記上り伝送が占める周波数領域リソースが前記第１の周波数領域リソースと異なる場合、前記第１の端末デバイスが前記第１の周波数領域リソースにおいてサイドリンク送信すると決定することを含む
ことを特徴とする請求項１４に記載のサイドリンク通信方法。
【請求項１８】
前記上り伝送が占める周波数領域リソースと前記第１の周波数領域リソースは、前記第１の端末デバイスがサポートする周波数領域リソースの周波数領域範囲内に位置する
ことを特徴とする請求項１７に記載のサイドリンク通信方法。
【請求項１９】
前記周波数領域リソースは、帯域幅部分ＢＷＰ又はキャリアである
ことを特徴とする請求項１〜１８のいずれか１項に記載のサイドリンク通信方法。
【請求項２０】
ネットワークデバイスが第１の端末デバイスのサイドリンク通信のための少なくとも１つの周波数領域リソースを決定することと、
前記ネットワークデバイスが、少なくとも１つの周波数領域リソースを示すための第１の指示情報を前記第１の端末デバイスに送信することとを含む
ことを特徴とするサイドリンク通信方法。
【請求項２１】
前記方法は、さらに、
前記ネットワークデバイスが前記第１の端末デバイスに第２の指示情報を送信することを含み、前記第２の指示情報が前記少なくとも１つの周波数領域リソースのうちの第１の周波数領域リソースを示す
ことを特徴とする請求項２０に記載のサイドリンク通信方法。
【請求項２２】
前記ネットワークデバイスが第１の端末デバイスのサイドリンク通信のための少なくとも１つの周波数領域リソースを決定することは、
前記ネットワークデバイスが前記第１の端末デバイスから報告された前記第１の端末デバイスがサポートする周波数領域リソースの能力及び／又は前記第１の端末デバイスのサービス情報を受信することと、
前記ネットワークデバイスが前記第１の端末デバイスがサポートする周波数領域リソースの能力及び／又は前記サービス情報に基づいて、前記少なくとも１つの周波数領域リソースを決定することとを含む
ことを特徴とする請求項２０又は２１に記載のサイドリンク通信方法。
【請求項２３】
前記サービス情報は、プロバイダサービス識別子ＰＳＩＤ、目標アドレス及びサービス品質Ｑｏｓ情報のうちの少なくとも１つを含む
ことを特徴とする請求項２２に記載のサイドリンク通信方法。
【請求項２４】
前記第１の指示情報は、前記少なくとも１つの周波数領域リソースの各周波数領域リソースの時間周波数位置を示す
ことを特徴とする請求項２０〜２３のいずれか１項に記載のサイドリンク通信方法。
【請求項２５】
前記第１の指示情報が複数の端末デバイスのために構成されたサイドリンク通信のための周波数領域リソースを示し、前記複数の端末デバイスが異なる周波数領域リソースをサポートする能力を有し、前記複数の端末デバイスが前記第１の端末デバイスを含む
ことを特徴とする請求項２０〜２４のいずれか１項に記載のサイドリンク通信方法。
【請求項２６】
前記複数の端末デバイスのうちの第２の端末デバイスのために構成されたサイドリンク通信のための周波数領域リソースの周波数領域範囲は、前記複数の端末デバイスのうちの第３の端末デバイスのために構成されたサイドリンク通信のための周波数領域リソースの周波数領域範囲をカバーし、前記第２の端末デバイスがサポートする周波数領域リソースの能力は、前記第３の端末デバイスがサポートする周波数領域リソースの能力より大きい
ことを特徴とする請求項２５に記載のサイドリンク通信方法。
【請求項２７】
前記第１の指示情報は、さらに、前記少なくとも１つの周波数領域リソースに対応するパラメータセットを示す
ことを特徴とする請求項２０〜２６のいずれか１項に記載のサイドリンク通信方法。
【請求項２８】
前記周波数領域リソースは、帯域幅部分ＢＷＰ又はキャリアである
ことを特徴とする請求項２０〜２７のいずれか１項に記載のサイドリンク通信方法。
【請求項２９】
処理ユニットを備え、第１の端末デバイスとする前記端末デバイスであって、
前記処理ユニットは、前記第１の端末デバイスのサイドリンク通信のための少なくとも１つの周波数領域リソースを取得し、前記少なくとも１つの周波数領域リソースから第１の周波数領域リソースを決定するように構成される
ことを特徴とする端末デバイス。
【請求項３０】
前記処理ユニットは、
事前構成に基づいて前記少なくとも１つの周波数領域リソースを取得するように構成される
ことを特徴とする請求項２９に記載の端末デバイス。
【請求項３１】
前記処理ユニットは、
ネットワークデバイスにより送信された第１の指示情報を受信し、
前記第１の指示情報に基づいて、前記少なくとも１つの周波数領域リソースを取得するように構成され、
前記第１の指示情報が前記第１の端末デバイスのために構成された前記少なくとも１つの周波数領域リソースを示す
ことを特徴とする請求項２９に記載の端末デバイス。
【請求項３２】
前記処理ユニットは、 
前記ネットワークデバイスにより送信された、前記第１の周波数領域リソースを示す第２の指示情報お受信し、
前記第２の指示情報に基づいて、前記第１の指示情報示す前記少なくとも１つの周波数領域リソースから前記第１の周波数領域リソースを決定するように構成される
ことを特徴とする請求項３１に記載の端末デバイス。
【請求項３３】
前記端末デバイスは、さらに、送受信ユニットを含み、
前記送受信ユニットは、前記第１の端末デバイスがサポートする周波数領域リソースの能力及び／又は前記第１の端末デバイスのサービス情報を前記ネットワークデバイスに報告するように構成される
ことを特徴とする請求項３１又は３２に記載の端末デバイス。
【請求項３４】
前記第１の指示情報は、前記少なくとも１つの周波数領域リソースの各周波数領域リソースの時間周波数位置を示す
ことを特徴とする請求項３１〜３３のいずれか１項に記載の端末デバイス。
【請求項３５】
前記第１の指示情報が複数の端末デバイスのために構成されたサイドリンク通信のための周波数領域リソースを示し、前記複数の端末デバイスが異なる周波数領域リソースをサポートする能力を有し、前記複数の端末デバイスが前記第１の端末デバイスを含む
ことを特徴とする請求項３１〜３４のいずれか１項に記載の端末デバイス。
【請求項３６】
前記複数の端末デバイスのうちの第２の端末デバイスのために構成されたサイドリンク通信のための周波数領域リソースの周波数領域範囲は、前記複数の端末デバイスのうちの第３の端末デバイスのために構成されたサイドリンク通信のための周波数領域リソースの周波数領域範囲をカバーし、前記第２の端末デバイスがサポートする周波数領域リソースの能力は、前記第３の端末デバイスがサポートする周波数領域リソースの能力より大きい
ことを特徴とする請求項３５に記載の端末デバイス。
【請求項３７】
前記第１の指示情報は、さらに、前記少なくとも１つの周波数領域リソースに対応するパラメータセットを示す
ことを特徴とする請求項３１〜３６のいずれか１項に記載の端末デバイス。
【請求項３８】
前記処理ユニットは、
前記異なる周波数領域リソースに対応するパラメータセットに基づいて、前記少なくとも１つの周波数領域リソースから前記第１の周波数領域リソースを決定するように構成される
ことを特徴とする請求項３７に記載の端末デバイス。
【請求項３９】
前記処理ユニットは、
前記異なる周波数領域リソースに対応するパラメータセットと、前記第１の端末デバイスのサービス情報、周波数領域リソースと前記サービス情報との対応関係及びパラメータセットと前記サービス情報との対応関係のうちの少なくとも１つとに基づいて、前記少なくとも１つの周波数領域リソースから前記第１の周波数領域リソースを決定するように構成される
ことを特徴とする請求項３８に記載の端末デバイス。
【請求項４０】
前記サービス情報は、プロバイダサービス識別子ＰＳＩＤ、目標アドレス及びサービス品質Ｑｏｓ情報のうちの少なくとも１つを含む
ことを特徴とする請求項３３又は３９に記載の端末デバイス。
【請求項４１】
前記第１の周波数領域リソースは、送信周波数領域リソースである
ことを特徴とする請求項２９〜４０のいずれか１項に記載の端末デバイス。
【請求項４２】
前記処理ユニットは、さらに、
前記第１の周波数領域リソースにおいてサイドリンク送信するかどうかを決定するように構成される
ことを特徴とする請求項４１に記載の端末デバイス。
【請求項４３】
前記処理ユニットは、
現在に上り伝送が存在しない場合、前記第１の周波数領域リソースにおいてサイドリンク送信すると決定するように構成される
ことを特徴とする請求項４２に記載の端末デバイス。
【請求項４４】
現在のサイドリンク送信と隣接する上り伝送とは、周波数領域リソースの切り替えを行うための十分な時間を有する
ことを特徴とする請求項４３に記載の端末デバイス。
【請求項４５】
前記処理ユニットは、
現在に上り伝送が存在し、前記上り伝送が占める周波数領域リソースが前記第１の周波数領域リソースと異なる場合、前記第１の周波数領域リソースにおいてサイドリンク送信すると決定するように構成される
ことを特徴とする請求項４２に記載の端末デバイス。
【請求項４６】
前記上り伝送が占める周波数領域リソースと前記第１の周波数領域リソースは、前記第１の端末デバイスがサポートする周波数領域リソースの周波数領域範囲内に位置する
ことを特徴とする請求項４５に記載の端末デバイス。
【請求項４７】
前記周波数領域リソースは、帯域幅部分ＢＷＰ又はキャリアである
ことを特徴とする請求項２９〜４６のいずれか１項に記載の端末デバイス。
【請求項４８】
処理ユニットと、送受信ユニットとを備えるネットワークデバイスであって、
前記処理ユニットは、第１の端末デバイスのサイドリンク通信のための少なくとも１つの周波数領域リソースを決定するように構成され、
前記送受信ユニットは、前記少なくとも１つの周波数領域リソースを示す第１の指示情報を前記第１の端末デバイスに送信するように構成される
ことを特徴とするネットワークデバイス。
【請求項４９】
前記送受信ユニットは、さらに、
前記少なくとも１つの周波数領域リソースのうちの第１の周波数領域リソースを示す第２の指示情報を前記第１の端末デバイスに送信するように構成される
ことを特徴とする請求項４８に記載のネットワークデバイス。
【請求項５０】
前記処理ユニットは、
前記第１の端末デバイスから報告された、前記第１の端末デバイスがサポートする周波数領域リソースの能力及び／又は前記第１の端末デバイスのサービス情報を受信し、
前記第１の端末デバイスがサポートする周波数領域リソースの能力及び／又は前記サービス情報に基づいて、前記少なくとも１つの周波数領域リソースを決定するように構成される
ことを特徴とする請求項４８又は４９に記載のネットワークデバイス。
【請求項５１】
前記サービス情報は、プロバイダサービス識別子ＰＳＩＤ、目標アドレス及びサービス品質Ｑｏｓ情報のうちの少なくとも１つを含む
ことを特徴とする請求項５０に記載のネットワークデバイス。
【請求項５２】
前記第１の指示情報は、前記少なくとも１つの周波数領域リソースの各周波数領域リソースの時間周波数位置を示す
ことを特徴とする請求項４８〜５１のいずれか１項に記載のネットワークデバイス。
【請求項５３】
前記第１の指示情報が複数の端末デバイスのために構成されたサイドリンク通信のための周波数領域リソースを示し、前記複数の端末デバイスが異なる周波数領域リソースをサポートする能力を有し、前記複数の端末デバイスが前記第１の端末デバイスを含む
ことを特徴とする請求項４８〜５２のいずれか１項に記載のネットワークデバイス。
【請求項５４】
前記複数の端末デバイスのうちの第２の端末デバイスのために構成されたサイドリンク通信のための周波数領域リソースの周波数領域範囲は、前記複数の端末デバイスのうちの第３の端末デバイスのために構成されたサイドリンク通信のための周波数領域リソースの周波数領域範囲をカバーし、前記第２の端末デバイスがサポートする周波数領域リソースの能力は、前記第３の端末デバイスがサポートする周波数領域リソースの能力より大きい
ことを特徴とする請求項５３に記載のネットワークデバイス。
【請求項５５】
前記第１の指示情報は、さらに、前記少なくとも１つの周波数領域リソースに対応するパラメータセットを示す
ことを特徴とする請求項４８〜５４のいずれか１項に記載のネットワークデバイス。
【請求項５６】
前記周波数領域リソースは、帯域幅部分ＢＷＰ又はキャリアである
ことを特徴とする請求項４８〜５５のいずれか１項に記載のネットワークデバイス。
【請求項５７】
コンピュータプログラムを記憶するメモリと、前記メモリに記憶されたコンピュータプログラムを呼び出して実行し、請求項１〜１９のいずれか１項に記載の方法を実行するプロセッサとを備える
ことを特徴とする端末デバイス。
【請求項５８】
コンピュータプログラムを記憶するメモリと、前記メモリに記憶されたコンピュータプログラムを呼び出して実行し、請求項２０〜２８のいずれか１項に記載の方法を実行するプロセッサとを備える
ことを特徴とするネットワークデバイス。
【請求項５９】
コンピュータプログラムをメモリから呼び出して実行し、チップが搭載される装置に請求項１〜１９のいずれか１項に記載の方法を実行させるプロセッサを備える
ことを特徴とするチップ。
【請求項６０】
コンピュータプログラムをメモリから呼び出して実行し、チップが搭載される装置に請求項２０〜２８のいずれか１項に記載の方法を実行させるプロセッサを備える
ことを特徴とするチップ。
【請求項６１】
コンピュータに請求項１〜１９のいずれか１項に記載の方法を実行させるコンピュータプログラムを記憶する
ことを特徴とするコンピュータ可読記憶媒体。
【請求項６２】
コンピュータに請求項２０〜２８のいずれか１項に記載の方法を実行させるコンピュータプログラムを記憶する
ことを特徴とするコンピュータ可読記憶媒体。
【請求項６３】
コンピュータに請求項１〜１９のいずれか１項に記載の方法を実行させるコンピュータプログラム命令を有する
ことを特徴とするコンピュータプログラム製品。
【請求項６４】
コンピュータに請求項２０〜２８のいずれか１項に記載の方法を実行させるコンピュータプログラム命令を有する
ことを特徴とするコンピュータプログラム製品。
【請求項６５】
コンピュータに、請求項１〜１９のいずれか１項に記載の方法を実行させる
ことを特徴とするコンピュータプログラム。
【請求項６６】
コンピュータに、請求項２０〜２８のいずれか１項に記載の方法を実行させる
ことを特徴とするコンピュータプログラム。
【発明の詳細な説明】
【関連出願の相互参照】
【０００１】
本願は、２０１８年７月１８日に中国特許庁に提出された、出願番号が２０１８１０７９２８２５.Ｘ、発明の名称が「サイドリンク通信方法、端末デバイスおよびネットワークデバイス」である中国出願の優先権を主張し、その全ての内容が参照により本明細書に組み込まれる。
【技術分野】
【０００２】
本願の実施例は、通信技術分野に関し、具体的に、サイドリンク通信方法、端末デバイス及びネットワークデバイスに関する。
【背景技術】
【０００３】
従来技術において、車両ネットワークシステムにおいて端末がサポートする可能な帯域幅は、５ＭＨｚ以下、最大４００ＭＨｚまで達している。全ての端末が最大４００ＭＨｚをサポートすることを要求する場合、端末の性能に対する要求が高く、ＵＥのコストを低減させるのに不利であり、また、１つの端末が４００Ｍ帯域幅全体を同時に占有することは不可能であり、端末が４００Ｍ帯域幅に対応するサンプリングレートを採用する場合、性能に対する無駄である。そこで、本願は、サイドリンク通信の性能を向上させることができる方法を提案する。
【発明の概要】
【０００４】
本願の実施例は、サイドリンク通信の性能を向上させることができるサイドリンク通信方法、端末デバイス及びネットワークデバイスを提供する。
【０００５】
第１の態様は、サイドリンク通信方法を提供し、第１の端末デバイスが該第１の端末デバイスのサイドリンク通信のための少なくとも１つの周波数領域リソースを取得することと、該第１の端末デバイスが該少なくとも１つの周波数領域リソースから第１の周波数領域リソースを決定することとを含む。
【０００６】
第２の態様は、サイドリンク通信方法を提供し、ネットワークデバイスが第１の端末デバイスのサイドリンク通信のための少なくとも１つの周波数領域リソースを決定することと、該ネットワークデバイスが該少なくとも１つの周波数領域リソースを示す第１の指示情報を該第１の端末デバイスに送信することとを含む。
【０００７】
第３の態様は、上記第１の態様又はその様々な実施態様における方法を実行するための端末デバイスを提供する。
【０００８】
具体的には、この端末デバイスは、上記第１の態様又はその各実施形態による方法を実行するための機能モジュールを備える。
【０００９】
第４の態様は、上記第２の態様又はその様々な実施態様における方法を実行するためのネットワークデバイスを提供する。
【００１０】
具体的には、このネットワークデバイスは、上記第２の態様又はその各実施形態による方法を実行するための機能モジュールを備える。
【００１１】
第５の態様は、プロセッサとメモリとを備える端末デバイスを提供する。メモリは、コンピュータプログラムを記憶し、プロセッサは、メモリに記憶されたコンピュータプログラムを呼び出して実行し、上記第１の態様またはその様々な実施形態における方法を実行する。
【００１２】
第６の態様は、プロセッサとメモリとを備えるネットワークデバイスを提供する。メモリは、コンピュータプログラムを記憶し、プロセッサは、メモリに記憶されたコンピュータプログラムを呼び出して実行し、上記第２の態様またはその様々な実施形態における方法を実行する。
【００１３】
第７の態様は、上述の第１〜第２の態様のいずれか、またはその各実施態様における方法を実施するためのチップを提供する。
【００１４】
具体的には、コンピュータプログラムをメモリから呼び出して実行し、チップが実装されたデバイスに第１の態様〜第２の態様のいずれか、またはそれらの実装形態による方法を実行させるプロセッサを含む。
【００１５】
第８の態様は、コンピュータに、上述の第１の態様から第２の態様のいずれか、またはそれらの実装形態における方法を実行させるコンピュータプログラムを記憶するコンピュータ可読記憶媒体を提供する。
【００１６】
第９の態様は、コンピュータに、上述の第１の態様から第２の態様のいずれか、またはそれらの実装形態における方法を実行させるコンピュータプログラム命令を含む、コンピュータプログラム製品を提供する。
【００１７】
第１０の態様は、コンピュータ上で実行されたときに、コンピュータに、上記の第１から第２の態様のいずれか、またはその様々な実施態様における方法を実行させるコンピュータプログラムを提供する。
【００１８】
上記技術案により、少なくとも１つの周波数領域リソースから使用される周波数領域リソースを決定し、リアルタイムでサイドリンク周波数領域リソースを調整でき、サイドリンク通信の性能を向上させることに寄与する。
【図面の簡単な説明】
【００１９】
【図１】本願の実施例におけるサイドリンク通信システムの模式図である。
【図２】本願の実施例におけるサイドリンク通信システムの模式図である。
【図３】本願の実施例におけるサイドリンク通信方法の模式図である。
【図４】本願の実施例におけるサイドリンク通信方法の他の模式図である。
【図５】本願の実施例における端末デバイスのブロック図である。
【図６】本願の実施例におけるネットワークデバイスのブロック図である。
【図７】本願の実施例における端末デバイスの他のブロック図である。
【図８】本願の実施例におけるネットワークデバイスの他のブロック図である。
【図９】本願の実施例におけるチップのブロック図である。
【図１０】本願の実施例における通信システムのブロック図である。
【発明を実施するための形態】
【００２０】
以下、本願の実施例における技術案を、本願の実施例における図面を参照して説明するが、明らかに、記述された実施例は本願の一部の実施例であり、全ての実施例ではない。本願における実施例に基づいて、発明的な労働をすることなく当業者によって得られる他のすべての実施例は、本願の保護範囲に属する。
【００２１】
本願の実施例に係る技術方案は、様々な通信システム、例えば、ＧＳＭ (Ｇｌｏｂａｌ Ｓｙｓｔｅｍ ｏｆ Ｍｏｂｉｌｅ Ｃｏｍｍｕｎｉｃａｔｉｏｎ)システム、ＣＤＭＡ ( Ｃｏｄｅ Ｄｉｖｉｓｉｏｎ Ｍｕｌｔｉｐｌｅ Ａｃｃｅｓｓ )システム、ＷＣＤＭＡ （Ｗｉｄｅｂａｎｄ Ｃｏｄｅ Ｄｉｖｉｓｉｏｎ Ｍｕｌｔｉｐｌｅ Ａｃｃｅｓｓ)システム、ＧＰＲＳ ( Ｇｅｎｅｒａｌ Ｐａｃｋｅｔ Ｒａｄｉｏ Ｓｅｒｖｉｃｅ )、ＬＴＥ ( Ｌｏｎｇ Ｔｅｒｍ Ｅｖｏｌｕｔｉｏｎ )システム、ＦＤＤ （ Ｆｒｅｑｕｅｎｃｙ Ｄｉｖｉｓｉｏｎ Ｄｕｐｌｅｘ )システム、ＴＤＤ （ Ｔｉｍｅ  Ｄｉｖｉｓｉｏｎ  Ｄｕｐｌｅｘ )システム、ＵＭＴＳ （ Ｕｎｉｖｅｒｓａｌ Ｍｏｂｉｌｅ Ｔｅｌｅｃｏｍｍｕｎｉｃａｔｉｏｎ Ｓｙｓｔｅｍ )、ＷｉＭＡＸ （ Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ )通信システム又は５Ｇシステムに適用されることができる。
【００２２】
例示的に、本願の実施例が適用される通信システムは、端末デバイス(または通信端末、端末と呼ばれる)と通信する装置であり得るネットワークデバイスを含み得る。ネットワークデバイスは、特定の地理的エリアに通信カバレージを提供することができ、カバレージエリア内に位置する端末デバイスと通信することができる。このネットワークデバイスは、ＧＳＭシステム又はＣＤＭＡシステムにおける基地局( ＢＴＳ、Ｂａｓｅ Ｔｒａｎｓｃｅｉｖｅｒ Ｓｔａｔｉｏｎ )であってもよいし、ＷＣＤＭＡシステムにおける基地局( ＮｏｄｅＢ、ＮＢ )であってもよいし、ＬＴＥシステムにおけるＥｖｏｌｕｔｉｏｎａｌ Ｎｏｄｅ Ｂ （ ｅＮＢ、ｅＮｏｄｅＢ )であってもよいし、Ｃｌｏｕｄ Ｒａｄｉｏ Ａｃｃｅｓｓ Ｎｅｔｗｏｒｋ （ ＣＲＡＮ )における無線コントローラであってもよいし、移動体交換局、中継局、アクセスポイント、車載器、ウェアラブル機器、集線装置、交換機、ブリッジ、ルータ、５Ｇネットワークにおけるネットワーク側機器又はＰＬＭＮにおけるネットワークデバイス等であってもよい。
【００２３】
本願の実施例が適用される通信システムは、ネットワークデバイスのカバレッジ内に位置する少なくとも１つの端末デバイスをさらに含む。ここで使用される「端末デバイス」としては、限定されるものではないが、ＵＥ、アクセス端末、加入者ユニット、加入者局、移動局、遠隔端末、移動装置、加入者端末、無線通信装置、ユーザエージェント、または加入者デバイスが挙げられる。アクセス端末は、セルラー電話、コードレス電話、ＳＩＰ ( Ｓｅｓｓｉｏｎ Ｉｎｉｔｉａｔｉｏｎ Ｐｒｏｔｏｃｏｌ )電話、ＷＬＬ （ Ｗｉｒｅｌｅｓｓ Ｌｏｃａｌ Ｌｏｏｐ )局、ＰＤＡ （ Ｐｅｒｓｏｎａｌ Ｄｉｇｉｔａｌ Ａｓｓｉｓｔａｎｔ )、無線通信機能を有するハンドヘルド装置、ワイヤレスモデムに接続された演算装置または他の処理装置、車載装置、ウェアラブル装置、将来の５Ｇネットワークにおける端末デバイス、または将来進化したＰＬＭＮ ( Ｐｕｂｌｉｃ Ｌａｎｄ Ｍｏｂｉｌｅ Ｎｅｔｗｏｒｋ )における端末デバイスなど、本願の実施例は、限定されない。
【００２４】
任意選択で、５Ｇシステム又は５Ｇネットワークは、Ｎｅｗ Ｒａｄｉｏ （ ＮＲ )システム又はＮＲネットワークとも称され得る。
【００２５】
任意選択で、端末デバイス間で、Ｄ２Ｄ（Ｄｅｖｉｃｅ ｔｏ Ｄｅｖｉｃｅ )通信が行われ得る。Ｄ２Ｄは、サイドリンク( Ｓｉｄｅｌｉｎｋ、ＳＬ )伝送技術であり、従来のＬＴＥシステムにおいて通信データを基地局を介して受信又は送信する方式とは異なり、車両ネットワークシステムは端末から端末へ直接通信する方式を採用するため、より高いスペクトル効率及びより低い伝送遅延を有する。例示的に、図１及び図２は、本願の実施例の応用シナリオの概略図である。図には、１つのネットワークデバイスと２つの端末デバイスが例示的に示されており、任意選択的に、無線通信システムは、複数のネットワークデバイスを含んでもよく、各ネットワークデバイスのカバレッジ内に他の数の端末デバイスを含んでもよく、本願の実施例は、これに限定されない。また、該無線通信システムは、移動管理エンティティ( Ｍｏｂｉｌｅ Ｍａｎａｇｅｍｅｎｔ Ｅｎｔｉｔｙ、ＭＭＥ )、サービングゲートウェイ( Ｓｅｒｖｉｎｇ Ｇａｔｅｗａｙ、ｓ−ＧＷ )、パケットデータネットワークゲートウェイ( Ｐａｃｋｅｔ Ｄａｔａ Ｎｅｔｗｏｒｋ Ｇａｔｅｗａｙ、Ｐ−ＧＷ )等の他のネットワークエンティティを更に含んでもよいが、本願の実施例はこれに限定されない。
【００２６】
具体的には、端末デバイス２０と端末デバイス３０は、Ｄ２Ｄ通信モードで通信が可能であり、Ｄ２Ｄ通信を行う場合、端末デバイス２０と端末デバイス３０は、Ｄ２Ｄリンク、すなわちサイドリンクを介して直接通信を行う。図１又は図２に示すように、端末デバイス２０と端末デバイス３０とは、サイドリンクを介して直接通信を行う。図１において、端末デバイス２０と端末デバイス３０との間のサイドリンク通信を行い、ネットワークデバイス１０により伝送リソースが割り当てられ、図２において、端末デバイス２０と端末デバイス３０は、端末デバイスが自律的に伝送リソースを選択するサイドリンク通信を行うため、ネットワークデバイスは伝送リソースを割り当てる必要がない。
【００２７】
Ｄ２Ｄ通信モードは、Ｖ２Ｖ（Ｖｅｈｉｃｌｅ ｔｏ Ｖｅｈｉｃｌｅ）通信又はＶ２Ｘ（Ｖｅｈｉｃｌｅ ｔｏ Ｅｖｅｒｙｔｈｉｎｇ）通信のような車−車、車両−他のデバイスの間通信に適用される。Ｖ２Ｘ通信において、Ｘは、限定ではないが低速移動無線デバイス、高速移動車載機、又は無線送受信能力を有するネットワーク制御ノード等の、無線受信及び送信能力を有する任意の装置を広く指すことができる。なお、本願の実施例は主にＶ２Ｘ通信のシナリオに適用されるが、任意の他のＤ２Ｄ通信シナリオにも適用可能であり、本願の実施例はこれに限定されない。
【００２８】
図３は本願の実施例におけるサイドリンク通信方法１００のブロック図である。該方法１００は、図１又は図２のある端末デバイスによって実行され、該方法１００は、以下の少なくとも一部を含む。
【００２９】
Ｓ１１０において、第１の端末デバイスが前記第１の端末デバイスのサイドリンク通信のための少なくとも１つの周波数領域リソースを取得し、
Ｓ１２０において、前記第１の端末デバイスが前記少なくとも１つの周波数領域リソースから第１の周波数領域リソースを決定する。
【００３０】
従って、本願の実施例に係るサイドリンク通信の方法は、少なくとも１つの周波数領域リソースにおいて使用される周波数領域リソースを決定することにより、リアルタイムでサイドリンク周波数領域リソースを調整することができ、サイドリンク通信の性能を向上させることに寄与する。
【００３１】
任意選択で、この周波数領域リソースは、帯域幅部分( Ｂａｎｄｗｉｄｔｈ Ｐａｒｔ、ＢＷＰ )であっても良く、すなわち、帯域幅の自己適応的な変化であってもよい。
【００３２】
ＬＴＥでは、端末デバイスの帯域幅はシステムの帯域幅と一致しており、復号( Ｍａｓｔｅｒ Ｉｎｆｏｒｍａｔｉｏｎ Ｂｌｏｃｋ、ＭＩＢ )情報が帯域幅を構成した後に変化しない。ＮＲでは、端末デバイスの帯域幅が動的に変化し得る。ＢＷＰについて、図４を例に説明する。第１の時点では、端末デバイスのサービスが大きく、システムは端末デバイスに大きな帯域幅( ＢＷＰ１)を構成し、第２の時点では、前記端末デバイスのサービスが少なく、前記システムが前記端末デバイスに対する通信の基本要求を満たすことができる小さい帯域幅( ＢＷＰ２)を構成し、第３の時点では、ＢＷＰ１の帯域幅内に広範囲の周波数選択性フェージングがあること、またはＢＷＰ１の帯域幅内にリソースが不足していることをシステムが発見し、新しい帯域幅( ＢＷＰ３)を端末デバイスに構成する。端末デバイスは、対応するＢＷＰ内で、対応するＢＷＰの中心周波数点とサンプリングレートを採用すればよい。また、各ＢＷＰは、周波数点や帯域幅が異なるだけでなく、異なる構成に対応することも可能である。たとえば、各ＢＷのパラメータのセット（ｎｕｍｅｒｏｌｏｇｙ）が異なり、たとえば、サブキャリア間隔、サイクリックプレフィックス( Ｃｙｃｌｉｃ Ｐｒｅｆｉｘ、ＣＰ )タイプ、同期信号ブロック( Ｓｙｎｃｈｒｏｎｉｚａｔｉｏｎ Ｓｉｇｎａｌ Ｂｌｏｃｋ、ＳＳＢ )期間などが相異に構成されて、異なるサービスに対応する。
【００３３】
ある端末デバイスについて、少なくとも１つのサイドリンク送信ＢＷＰまたは少なくとも１つのサイドリンク受信ＢＷＰが存在し得る。端末デバイスは、少なくとも１つのサイドリンク送信ＢＷＰからＢＷＰを選択してサイドリンク送信し、少なくとも１つのサイドリンク受信ＢＷＰからＢＷＰを選択してサイドリンク受信することができる。
【００３４】
任意選択で、この周波数領域リソースは、キャリアであってもよい。
【００３５】
Ｒｅｌ−１４ ＬＴＥでは、車両ネットワークが標準化されており、主な標準化コンテンツはシングルキャリア伝送である。Ｒｅｌ−１５ ＬＴＥでは、マルチキャリアのシナリオに拡張し、すなわち、１つの端末デバイスが複数のキャリア上で同時に送受信を行うことができる。
【００３６】
同様に、ある端末デバイスは、少なくとも１つのサイドリンク送信キャリアまたは少なくとも１つのサイドリンク受信キャリアが存在する。端末デバイスは、少なくとも１つのサイドリンク送信キャリアからキャリアを選択してサイドリンク送信し、少なくとも１つのサイドリンク受信キャリアからキャリア選択してサイドリンク受信することができる。
【００３７】
任意選択で、この周波数領域リソースは、周波数領域上の他の特性を示すリソース単位でもよい。本願の実施例はこれに限定されるものではない。
【００３８】
任意選択で、端末デバイスの少なくとも１つのサイドリンク送信周波数領域リソース(サイドリンク送信ＢＷＰ又はサイドリンク送信キャリア)少なくとも１つのサイドリンク受信周波数領域リソース(サイドリンク受信ＢＷＰ又はサイドリンク受信キャリア)は、予め端末デバイスに構成されたものであってもよく、つまり、プロトコルにより約定され端末デバイスの出荷時に構成されたものであってもよい。
【００３９】
任意選択で、端末デバイスの少なくとも１つのサイドリンク送信周波数領域リソース(サイドリンク送信ＢＷＰまたはサイドリンク送信キャリア)または少なくとも１つのサイドリンク受信周波数領域リソース(サイドリンク受信ＢＷＰまたはサイドリンク受信キャリア)は、ネットワークデバイスから指示されてもよく、例えば、ＲＲＣ （ Ｒａｄｉｏ Ｒｅｓｏｕｒｃｅ Ｃｏｎｔｒｏｌ)により構成され、またはブロードキャストメッセージを介して端末デバイスに指示されてもよい。
【００４０】
具体的には、端末デバイスは、セルラーネットワークを有しない場合、内部に予め構成された少なくとも１つのサイドリンク送信周波数領域リソース又は少なくとも１つのサイドリンク受信周波数領域リソースから対応する１つの周波数領域リソースを選択することができる。端末デバイスは、セルラーネットワークを有する場合、ネットワークデバイスから指示された情報から、当該少なくとも１つのサイドリンク送信周波数領域リソース又は少なくとも１つのサイドリンク受信周波数領域リソースを取得し、その中から対応する１つの周波数領域リソースを選択することができる。
【００４１】
端末デバイスは、取得された少なくとも１つのサイドリンク周波数領域リソースから１つのサイドリンク周波数領域リソースを自律的に選択することができる。端末デバイスは、ネットワークデバイスの指示に従って、取得された少なくとも１つのサイドリンク周波数領域リソースから１つのサイドリンク周波数領域リソースを選択してもよい。例えば、端末デバイスは、現在のサービス情報に基づいて、自律的に１つのサイドリンク周波数領域リソースを選択することができる。例えば、現在のサービスの時間要求が高い場合、端末デバイスは、少なくとも１つのサイドリンク周波数領域リソースから、周波数領域範囲の広い周波数領域リソースを１つ選択し、現在のサービスが時間要求に対して高くない場合、端末デバイスは、少なくとも１つのサイドリンク周波数領域リソースから、周波数領域範囲の狭い周波数領域リソースを選択することができる。また、例えば、端末デバイスは、ネットワークデバイスが送信する下り制御情報(Ｄｏｗｎｌｉｎｋ  Ｃｏｎｔｒｏｌ  Ｉｎｆｏｒｍａｔｉｏｎ、ＤＣＩ )を受信してもよく、該ＤＣＩは、端末デバイスに、少なくとも１つのサイドリンク周波数領域リソースのうちのどの周波数領域リソースを具体的に使用するかを指示し、なお、該少なくとも１つのサイドリンク周波数領域リソースは、サイドリンク送信周波数領域リソースであってもよく、サイドリンク受信周波数領域リソースであってもよい。
【００４２】
任意選択で、該少なくとも１つのサイドリンク周波数領域リソースがネットワークデバイスによって構成される場合、端末デバイスは、ネットワークデバイスの構成前に、ネットワークデバイスが端末デバイスのいくつかの情報とともに少なくとも１つの周波数領域リソースを構成できるように、ネットワークデバイスに端末デバイスのいくつかの情報を報告してもよい。例えば、端末デバイスは、それがサポートする周波数領域リソースの能力および/または端末デバイスのサービス情報をネットワークデバイスに報告し得る。この端末デバイスがサポートする周波数領域リソースの能力は、例えば、端末デバイスがサポートする周波数領域リソースの最大周波数領域範囲、又はサポート可能な周波数領域リソースの個数などであってもよい。この端末デバイスのサービス情報は、例えば、プロバイダサービス識別子（Ｐｒｏｖｉｄｅｒ Ｓｅｒｖｉｃｅ Ｉｄｅｎｔｉｆｉｅｒ、ＰＳＩＤ）、サービスの目標アドレス、サービス品質（Ｑｕａｌｉｔｙ ｏｆ Ｓｅｒｖｉｃｅ、ＱｏＳ）情報のうち少なくとも１つの情報であってもよい。
【００４３】
任意選択で、ネットワークデバイスが端末デバイスに示す少なくとも１つの周波数領域リソース、又は端末デバイスに示す第１の周波数領域リソースは、周波数領域リソースの時間周波数位置を示すことができる。例えば、時間領域における周波数領域リソースの開始位置、及び、含まれる時間領域単位を示す。
【００４４】
任意選択で、ネットワークデバイスは、複数の端末デバイスのそれぞれに、サイドリンク周波数領域リソースを構成し、さらにブロードキャスト等により指示してもよい。ある端末デバイスは、ブロードキャストメッセージを受信した後、自分に属するサイドリンク周波数領域リソースを選択することができる。複数の端末デバイスのうちの異なる端末デバイスは、異なる周波数領域リソースをサポートする能力を有し得る。例えば、ネットワークデバイスは、各端末デバイスが周波数領域リソースをサポートする能力に基づいて複数の端末デバイスを分類し、さらに、同じ分類に属する端末デバイスに対して１つのセットのサイドリンク周波数領域リソースを構成し、同様に、ある端末デバイスは、自身が周波数領域リソースをサポートする能力に基づいてブロードキャストから自身に対応する１つセットのサイドリンク周波数領域リソースを取得し、さらに、その中から１つのサイドリンク周波数領域リソースを選択してサイドリンク通信に用いることができる。
【００４５】
任意選択で、ネットワークデバイスが複数の端末デバイスのためのサイドリンク周波数領域リソースを構成する場合、異なる端末デバイスの周波数領域リソースは、完全に重複され、又は、部分的に重複され、又は重複されない。例えば、複数の端末デバイスのうち第２の端末デバイスのサイドリンク周波数領域リソースの周波数領域範囲は、複数の端末デバイスのうち第３の端末デバイスのサイドリンク周波数領域リソースの周波数領域範囲をカバーする。任意選択で、第２の端末デバイスがサポートする周波数領域リソースの能力は、第３の端末デバイスがサポートする周波数領域リソースの能力よりも大きくてもよく、すなわち、広範囲の周波数領域リソースをサポートする端末デバイスのために構成された周波数領域リソースは、狭い範囲の周波数領域リソースをサポートする端末デバイスのために構成された周波数領域リソースを完全にカバーしてもよい。
【００４６】
任意選択で、異なる周波数領域リソースは、異なるパラメータセットに対応することができ、例えば、異なる周波数領域リソースのサブキャリア間隔は、異なる。少なくとも１つの周波数領域リソースを示すための指示情報は、少なくとも１つの周波数領域リソースが対応するパラメータセットを示すためにも使用され得る。すなわち、指示情報は、周波数領域リソースとパラメータセットとの対応関係を示すことができる。端末デバイスは、この指示情報を受信すると、１つのパラメータセットを選択し、少なくとも１つの周波数領域リソースのうち、選択したパラメータセットに対応する周波数領域リソースを第１の周波数領域リソースとすることができる。
【００４７】
また、端末デバイスは、パラメータセットに基づいて選択した周波数領域リソースが複数ある場合、他の情報を参照し、複数の周波数領域リソースから第１の周波数領域リソースを選択することもできる。例えば、１つのパラメータセットを選択し、少なくとも１つの周波数領域リソースから、選択されたパラメータセットに対応する周波数領域リソースを選択することができ、当該選択された周波数領域リソースは複数であり、すなわち、１つのパラメータセットは複数の周波数領域リソースに対応する可能性があり、端末デバイスは、さらに、以下の情報、すなわち、端末デバイスのサービス情報、周波数領域リソースとサービス情報との対応関係、およびパラメータセットとサービス情報との対応関係のうちの少なくとも１つに基づいて、少なくとも１つの周波数領域リソースから、第１の周波数領域リソースを決定することができる。
【００４８】
なお、端末デバイスは、パラメータセットと端末デバイスのサービス情報、周波数領域リソースとサービス情報との対応関係、及びパラメータセットとサービス情報との対応関係のうち少なくとも１つに基づいて第１の周波数領域リソースを決定し、前後関係を分けなくてもよい。上記のフローに従って決定されてもよいし、少なくとも１つの情報に基づいて複数の周波数領域リソースを決定し、次に、パラメータセットに基づいて第１の周波数領域リソースを決定してもよい。本願の実施例はこれに限定されるものではない。任意選択で、サービス情報は、プロバイダサービス識別子ＰＳＩＤ、目標アドレス及びサービス品質Ｑｏｓ情報のうちの少なくとも１つを含む。
【００４９】
又は、端末デバイスは、端末デバイスのサービス情報、周波数領域リソースとサービス情報との対応関係、及びパラメータセットとサービス情報との対応関係のうちの少なくとも１つに基づいて、少なくとも１つの周波数領域リソースから、第１の周波数領域リソースを直接決定してもよい。なお、上記の様々な情報の組み合わせは、第１の周波数領域リソースを決定するために使用され得る。
【００５０】
任意選択で、端末デバイスが決定した第１の周波数領域リソースが送信周波数領域リソースであり、端末デバイスは、第１の周波数領域リソース上でサイドリンク送信を行うかどうかをさらに決定することができる。端末デバイスは、いくつかの原則に基づいて、第１の周波数領域リソース上でサイドリンク送信を行うか否かを決定することができる。端末デバイスは、第１の周波数領域リソース上でサイドリンク送信を行うと決定された場合、この第１の周波数領域リソース上でサイドリンクサービスを送信できることを含むことができる。第１の周波数領域リソースにおいてサイドリンク送信を行わないと決定される場合、端末デバイスは、第１の周波数領域リソースにおいてサイドリンク送信を行わず、サイドリンク受信を行わなくてもよく、又は端末デバイスは、この第１の周波数領域リソースにおいてサイドリンク送信を行わず、サイドリンク受信を行ってもよい。
【００５１】
車両ネットワークシステムでは、端末デバイスのサイドリンクサービスは全て上りリソース上で伝送を行うため、上り伝送の優先度が高い。例えば、現在に上り伝送が存在しない場合、端末デバイスは、第１の周波数領域リソース上でサイドリンク送信を行うと決定し、逆に、現在、上り伝送がある場合、第１の周波数領域リソース上でサイドリンク送信を行わないと決定することができる。また、例えば、現在、上り伝送があるが、該上がる伝送が占める周波数領域リソースが第１の周波数領域リソースと異なる場合、前記第１の端末デバイスは、第１の周波数領域リソースでサイドリンク送信すると決定することができる。例えば、現在の上り伝送が占める周波数領域リソースが１〜１００ＭＨｚであり、第１の周波数領域リソースが３００〜４００ＭＨｚであれば、これら両者は全く重ならず、現時点では、上り伝送を行ってもよいし、サイドリンク送信を行ってもよい。なお、上り伝送が占める周波数領域リソースが第１の周波数領域リソースと異なることは、両者が周波数領域上で全く重なっていなくてもよく、一部重なっていてもよい。
【００５２】
又は、現在、上り伝送がなく、隣接する上り伝送が周波数領域において端末デバイスにより決定された第１の周波数領域リソースと同一である場合、端末デバイスは、切替を行わずに、直接に、その第１の周波数領域リソースでサイドリンク送信を行うことができる。隣接する上り伝送が周波数領域において端末デバイスにより決定された第１の周波数領域リソースと異なる場合、端末デバイスは周波数領域リソースの切り替えを行う必要がある。この時点で切替に十分な時間がない場合、端末デバイスはこの第１の周波数領域リソース上でのサイドリンク伝送を放棄し、切替に十分な時間がある場合、端末デバイスはこの第１の周波数領域リソース上でサイドリンク送信を行うことができる。なお、該隣接する上り伝送が占める周波数領域リソースとは、前回の上り伝送が占める周波数領域リソースを指してもよいし、次回の上り伝送が占める周波数領域リソースを指してもよく、本願の実施例はこれに限定されない。
【００５３】
端末デバイスは、上り伝送が占める周波数領域リソースと第１の周波数領域リソースとが、端末デバイスによってサポートされる周波数領域リソースの周波数領域範囲内にあるかどうかを参照して、第１の周波数領域リソース上でサイドリンク送信を行うかどうかをさらに決定し得る。端末デバイスがサポートする周波数領域リソースの周波数領域範囲内でなければ、該第１の周波数領域リソース上でサイドリンク送信を行わず、端末デバイスがサポートする周波数領域リソースの周波数領域範囲内であれば、第１の周波数領域リソース上でサイドリンク送信を行う。
【００５４】
図４は本願の実施例におけるサイドリンク通信方法２００のフローチャートである。図４に示すように、該方法２００は、以下の少なくとも一部を含む。
【００５５】
Ｓ２１０において、ネットワークデバイスが第１の端末デバイスのサイドリンク通信のための少なくとも１つの周波数領域リソースを決定し、
Ｓ２２０において、該ネットワークデバイスが該第１の端末デバイスに第１の指示情報を送信し、該第１の指示情報が該少なくとも１つの周波数領域リソースを示す。
【００５６】
任意選択で、本願の実施例において、該方法は、さらに、該ネットワークデバイスが該第１の端末デバイスに第２の指示情報を送信することを含み、該第２の指示情報が該少なくとも１つの周波数領域リソースの第１の周波数領域リソースを示す。
【００５７】
任意選択で、本願の実施例において、該ネットワークデバイスが第１の端末デバイスのサイドリンク通信のための少なくとも１つの周波数領域リソースを決定することは、該ネットワークデバイスが該第１の端末デバイスから報告された、該第１の端末デバイスがサポートする周波数領域リソースの能力及び／又は該第１の端末デバイスのサービス情報を受信することと、該ネットワークデバイスが該第１の端末デバイスがサポートする周波数領域リソースの能力及び／又は該サービス情報に基づいて、該少なくとも１つの周波数領域リソースを決定することとを含む。
【００５８】
任意選択で、本願の実施例において、該サービス情報は、プロバイダサービス識別子ＰＳＩＤ、目標アドレス及びサービス品質Ｑｏｓ情報のうちの少なくとも１つを含む。
【００５９】
任意選択で、本願の実施例において、該第１の指示情報は、該少なくとも１つの周波数領域リソースの各周波数領域リソースの時間周波数位置を示す。
【００６０】
任意選択で、本願の実施例において、該第１の指示情報が複数の端末デバイスのために構成されたサイドリンク通信のための周波数領域リソースを示し、該複数の端末デバイスが異なる周波数領域リソースをサポートする能力を有し、該複数の端末デバイスが該第１の端末デバイスを含む。
【００６１】
任意選択で、本願の実施例において、該複数の端末デバイスのうちの第２の端末デバイスのために構成されたサイドリンク通信のための周波数領域リソースの周波数領域範囲は、該複数の端末デバイスのうちの第３の端末デバイスのために構成されたサイドリンク通信のための周波数領域リソースの周波数領域範囲をカバーし、該第２の端末デバイスがサポートする周波数領域リソースの能力は、該第３の端末デバイスがサポートする周波数領域リソースの能力よりも大きい。
【００６２】
任意選択で、本願の実施例において、該第１の指示情報は、さらに、該少なくとも１つの周波数領域リソースに対応するパラメータセットを示す。
【００６３】
任意選択で、本願の実施例において、該周波数領域リソースは、帯域幅部分ＢＷＰ又はキャリアである。
【００６４】
なお、ネットワークデバイスによって記述されるネットワークデバイスと端末デバイスとの間のインタラクション、関連する特性、機能などは、端末デバイスの関連する特性、機能に対応することが理解される。すなわち、端末デバイスがネットワークデバイスに対してどのようなメッセージを送信するか、ネットワークデバイスが端末デバイスから対応するメッセージを受信する。
【００６５】
なお、本願の様々な実施例において、上記のプロセスの番号の大きさは、実行順序の先後を意味するものではなく、プロセスの実行順序は、その機能的および内因性の論理的に決定されるべきであり、本願の実施例の実施プロセスを限定するものではない。
【００６６】
以上、本願の実施例によるサイドリンク通信方法について詳細に説明したが、以下、本願の実施例におけるサイドリンク通信装置について図５〜８を参照して説明し、本願の実施例で説明する技術的特徴は、以下の装置の実施例に適用される。
【００６７】
図５は本願の実施例における端末デバイス３００のブロック図である。図５に示すように、前記端末デバイスが第１の端末デバイスであり、該端末デバイス３００は、処理ユニット３１０を含み、
処理ユニット３１０は、前記第１の端末デバイスのサイドリンク通信のための少なくとも１つの周波数領域リソースを取得し、前記少なくとも１つの周波数領域リソースから第１の周波数領域リソースを決定するように構成される。
【００６８】
任意選択で、本願の実施例において、前記処理ユニットは、具体的に、事前構成に基づいて前記少なくとも１つの周波数領域リソースを取得するように構成される。
【００６９】
任意選択で、本願の実施例において、前記処理ユニットは、具体的に、ネットワークデバイスにより送信された第１の指示情報を受信し、前記第１の指示情報が前記第１の端末デバイスのために構成された前記少なくとも１つの周波数領域リソースを示し、前記第１の指示情報に基づいて、前記少なくとも１つの周波数領域リソースを取得するように構成される。
【００７０】
任意選択で、本願の実施例において、前記処理ユニットは、具体的に、前記ネットワークデバイスにより送信された第２の指示情報を受信し、前記第２の指示情報が前記第１の周波数領域リソースを示し、前記第２の指示情報に基づいて、前記第１の指示情報が示す前記少なくとも１つの周波数領域リソースから前記第１の周波数領域リソースを決定するように構成される。
【００７１】
任意選択で、本願の実施例において、前記端末デバイスがさらに送受信ユニットを含み、送受信ユニットは、前記ネットワークデバイスに、前記第１の端末デバイスがサポートする周波数領域リソースの能力及び／又は前記第１の端末デバイスのサービス情報を報告するように構成される。
【００７２】
任意選択で、本願の実施例において、前記第１の指示情報は、前記少なくとも１つの周波数領域リソースの各周波数領域リソースの時間周波数位置を示す。
【００７３】
任意選択で、本願の実施例において、前記第１の指示情報が複数の端末デバイスのために構成されたサイドリンク通信のための周波数領域リソースを示し、前記複数の端末デバイスが異なる周波数領域リソースをサポートする能力を有し、前記複数の端末デバイスが前記第１の端末デバイスを含む。
【００７４】
任意選択で、本願の実施例において、前記複数の端末デバイスのうちの第２の端末デバイスのために構成されたサイドリンク通信のための周波数領域リソースの周波数領域範囲は、前記複数の端末デバイスのうちの第３の端末デバイスのために構成されたサイドリンク通信のための周波数領域リソースの周波数領域範囲をカバーし、前記第２の端末デバイスがサポートする周波数領域リソースの能力は、前記第３の端末デバイスがサポートする周波数領域リソースの能力より大きい。
【００７５】
任意選択で、本願の実施例において、前記第１の指示情報は、さらに、前記少なくとも１つの周波数領域リソースに対応するパラメータセットを示す。
【００７６】
任意選択で、本願の実施例において、前記処理ユニットは、具体的に、前記異なる周波数領域リソースに対応するパラメータセットに基づいて、前記少なくとも１つの周波数領域リソースから前記第１の周波数領域リソースを決定するように構成される。
【００７７】
任意選択で、本願の実施例において、前記処理ユニットは、具体的に、前記異なる周波数領域リソースに対応するパラメータセットと、前記第１の端末デバイスのサービス情報、周波数領域リソースと前記サービス情報との対応関係及びパラメータセットと前記サービス情報との対応関係のうちの少なくとも１つとに基づいて、前記少なくとも１つの周波数領域リソースから前記第１の周波数領域リソースを決定するように構成される。
【００７８】
任意選択で、本願の実施例において、前記サービス情報は、プロバイダサービス識別子ＰＳＩＤ、目標アドレス及びサービス品質Ｑｏｓ情報のうちの少なくとも１つを含む。
【００７９】
任意選択で、本願の実施例において、前記第１の周波数領域リソースは、送信周波数領域リソースである。
【００８０】
任意選択で、本願の実施例において、前記処理ユニットは、さらに、前記第１の周波数領域リソースにおいてサイドリンク送信するかどうかを決定するように構成される。
【００８１】
任意選択で、本願の実施例において、前記処理ユニットは、具体的に、現在に上り伝送が存在しない場合、前記第１の周波数領域リソースにおいてサイドリンク送信すると決定するように構成される。
【００８２】
任意選択で、本願の実施例において、現在のサイドリンク送信と隣接する上り伝送とは、周波数領域リソースの切り替えを行うための十分な時間を有する。
【００８３】
任意選択で、本願の実施例において、前記処理ユニットは、具体的に、現在に上り伝送が存在し、前記上り伝送が占める周波数領域リソースが前記第１の周波数領域リソースと異なる場合、前記第１の周波数領域リソースにおいてサイドリンク送信すると決定するように構成される。
【００８４】
任意選択で、本願の実施例において、前記上り伝送が占める周波数領域リソースと前記第１の周波数領域リソースは、前記第１の端末デバイスがサポートする周波数領域リソースの周波数領域範囲内に位置する。 
任意選択で、本願の実施例において、前記周波数領域リソースは、帯域幅部分ＢＷＰ又はキャリアである。
【００８５】
なお、本願の実施例による端末デバイス３００は、本願の方法の実施例における端末デバイスに対応し、端末デバイス３００における各ユニットの上記及び他の操作及び/又は機能は、それぞれ図３の方法における第１の端末デバイスの対応するフローを実現するためのものであり、簡潔にするため、ここではその説明を省略する。
【００８６】
図６は本願の実施例におけるネットワークデバイス４００のブロック図である。図６に示すように、該ネットワークデバイス４００は、処理ユニット４１０及び送受信ユニット４２０を備え、
処理ユニット４１０は、第１の端末デバイスのサイドリンク通信のための少なくとも１つの周波数領域リソースを決定するように構成され、
送受信ユニット４２０は、前記少なくとも１つの周波数領域リソースを示す第１の指示情報を前記第１の端末デバイスに送信するように構成される。
【００８７】
任意選択で、本願の実施例において、前記送受信ユニットは、さらに、前記少なくとも１つの周波数領域リソースのうちの第１の周波数領域リソースを示す第２の指示情報を前記第１の端末デバイスに送信するように構成される。
【００８８】
任意選択で、本願の実施例において、前記処理ユニットは、具体的に、前記第１の端末デバイスから報告された、前記第１の端末デバイスがサポートする周波数領域リソースの能力及び／又は前記第１の端末デバイスのサービス情報を受信し、前記第１の端末デバイスがサポートする周波数領域リソースの能力及び／又は前記サービス情報に基づいて、前記少なくとも１つの周波数領域リソースを決定するように構成される。
【００８９】
任意選択で、本願の実施例において、前記サービス情報は、プロバイダサービス識別子ＰＳＩＤ、目標アドレス及びサービス品質Ｑｏｓ情報のうちの少なくとも１つを含む。
【００９０】
任意選択で、本願の実施例において、前記第１の指示情報は、前記少なくとも１つの周波数領域リソースの各周波数領域リソースの時間周波数位置を示す。
【００９１】
任意選択で、本願の実施例において、前記第１の指示情報が複数の端末デバイスのために構成されたサイドリンク通信のための周波数領域リソースを示し、前記複数の端末デバイスが異なる周波数領域リソースをサポートする能力を有し、前記複数の端末デバイスが前記第１の端末デバイスを含む。
【００９２】
任意選択で、本願の実施例において、前記複数の端末デバイスのうちの第２の端末デバイスのために構成されたサイドリンク通信のための周波数領域リソースの周波数領域範囲は、前記複数の端末デバイスのうちの第３の端末デバイスのために構成されたサイドリンク通信のための周波数領域リソースの周波数領域範囲をカバーし、前記第２の端末デバイスがサポートする周波数領域リソースの能力は、前記第３の端末デバイスがサポートする周波数領域リソースの能力より大きい。
【００９３】
任意選択で、本願の実施例において、前記第１の指示情報は、さらに、前記少なくとも１つの周波数領域リソースに対応するパラメータセットを示す。
【００９４】
任意選択で、本願の実施例において、前記周波数領域リソースは、帯域幅部分ＢＷＰ又はキャリアである。
【００９５】
なお、本願の実施例におけるネットワークデバイス４００は、本願の方法の実施例におけるネットワークデバイスに対応することができ、ネットワークデバイス４００における各ユニットの上記及び他の操作及び/又は機能は、それぞれ図４の方法におけるネットワークデバイスの対応するフローを実現するためのものであり、簡潔にするため、ここではその説明を省略する。
【００９６】
図７に示すように、本願の実施例は、また、端末デバイス５００を提供し、端末デバイス５００が図５の端末デバイス３００であっても良く、図３の方法１００に対応する第１の端末デバイスのコンテンツを実行することができる。図７に示す端末デバイス５００は、メモリからコンピュータプログラムを呼び出して実行することにより、本願の実施例における方法を実現することができるプロセッサ５１０を含む。
【００９７】
また、図７に示すように、端末デバイス５００は、メモリ５２０をさらに含んでもよい。ここで、プロセッサ５１０は、メモリ５２０からコンピュータプログラムを呼び出して実行することにより、本願の実施例における方法を実現することができる。
【００９８】
ここで、メモリ５２０は、プロセッサ５１０とは独立した別個の部品であってもよいし、プロセッサ５１０に集積されていてもよい。
【００９９】
任意選択で、図７に示すように、端末デバイス５００は、プロセッサ５１０が他の装置と通信するように制御することができる送受信機５３０をさらに備えることができ、特に、他の装置に情報又はデータを送信することができ、又は他の装置から送信された情報又はデータを受信することができる。
【０１００】
ここで、送受信機５３０は送信機と受信機を含むことができる。送受信機５３０は、１つ以上のアンテナをさらに含んでもよい。
【０１０１】
任意選択で、該端末デバイス５００は、本願の実施例の端末デバイスであってもよく、且つ該端末デバイス５００は、本願の実施例の各方法における端末デバイスにより実現される対応するフローを実現してもよく、簡潔にするために、ここでその説明が省略される。
【０１０２】
１つの具体的な実施形態では、端末デバイス５００の処理ユニットは、図７のプロセッサ５１０によって実装され得る。端末デバイス５００の送受信ユニットは、図７の送受信機５３０により実現され得る。
【０１０３】
図８に示すように、本願の実施例はネットワークデバイス６００をさらに提供し、このネットワークデバイス６００は図６のネットワークデバイス４００であってもよく、図４の方法２００に対応するネットワークデバイスのコンテンツを実行する。図８に示すネットワークデバイス６００は、メモリからコンピュータプログラムを呼び出して実行し、本願の実施例における方法を実現することができるプロセッサ６１０を含む。
【０１０４】
任意選択で、図８に示されるように、ネットワークデバイス６００は、メモリ６２０をさらに含み得る。プロセッサ６１０は、メモリ６２０からコンピュータプログラムを呼び出して実行することにより、本願の実施例における方法を実現することができる。
【０１０５】
ここで、メモリ６２０は、プロセッサ６１０とは独立した１つの別個の部品であってもよいし、プロセッサ６１０に集積されてもよい。
【０１０６】
任意選択で、図８に示すように、ネットワークデバイス６００は、他のデバイスと通信するようにプロセッサ６１０によって制御される送受信機６３０をさらに備えてもよく、具体的には、他のデバイスに情報又はデータを送信し、又は他のデバイスによって送信された情報又はデータを受信することができる。
【０１０７】
ここで、送受信機６３０は、送信機および受信機を含み得る。送受信機６３０は、１つ以上のアンテナをさらに含むことができる。
【０１０８】
任意選択で、該ネットワークデバイス６００は、本願の実施例のネットワークデバイスであってもよく、且つ該ネットワークデバイス６００は、本願の実施例の各方法におけるネットワークデバイスにより実現される対応するフローを実現してもよく、簡潔にするために、ここでその説明が省略される。
【０１０９】
１つの具体的な実施形態では、ネットワークデバイス６００の処理ユニットは、図８のプロセッサ６１０によって実装され得る。ネットワークデバイス６００の送受信ユニットは、図８の送受信機６３０により実現されてもよい。
【０１１０】
図９は、本願の実施例のチップの概略構成図である。図９に示すチップ７００は、メモリからコンピュータプログラムを呼び出して実行することにより、本願の実施例における方法を実現するプロセッサ７１０を含む。
【０１１１】
任意選択で、図９に示すように、チップ７００は、メモリ７２０をさらに含んでもよい。プロセッサ７１０は、メモリ７２０からコンピュータプログラムを呼び出して実行することにより、本願の実施例における方法を実現することができる。
【０１１２】
ここで、メモリ７２０は、プロセッサ７１０とは独立した別個の部品であってもよいし、プロセッサ７１０に集積されていてもよい。
【０１１３】
任意選択で、チップ７００は、入力インターフェース７３０をさらに含むことができる。ここで、プロセッサ７１０は、該入力インターフェース７３０を制御して他のデバイス又はチップと通信し、具体的には、他のデバイス又はチップから送信された情報又はデータを取得することができる。
【０１１４】
任意選択で、チップ７００は、出力インターフェース７４０をさらに含んでもよい。プロセッサ７１０は、出力インターフェース７４０を制御して他のデバイス又はチップと通信し、具体的には、他のデバイス又はチップに情報又はデータを出力してもよい。
【０１１５】
任意選択で、該チップは、本願の実施例におけるネットワークデバイスに適用され、且つ該チップは、本願の実施例の各方法におけるネットワークデバイスにより実現される対応するフローを実現することができ、簡潔にするために、ここでその説明が省略される。
【０１１６】
任意選択で、該チップは、本願の実施例における端末デバイスに適用され、且つ該チップは、本願の実施例における各方法において端末デバイスにより実現される対応するフローを実現することができ、簡潔にするために、ここでその説明が省略される。
【０１１７】
なお、本願の実施例で言及されるチップは、システムレベルチップ、システムチップ、またはシステムオンチップなどと称されることもある
図１０は本願の実施例における通信システム８００のブロック図である。図１０に示すように、該通信システム８００は、端末デバイス８１０及びネットワークデバイス８２０を含む。
【０１１８】
ここで、該端末デバイス８１０は、上記方法において端末デバイスにより実現される相応の機能を実現するために用いられてもよく、及び該ネットワークデバイス８２０は、上記方法においてネットワークデバイスにより実現される相応の機能を実現するために用いられてもよく、簡潔にするために、ここではその説明を省略する。
【０１１９】
なお、本願の実施例のプロセッサは、信号の処理能力を有する集積回路チップであってもよい。実装において、方法の実施形態における上述のステップは、プロセッサ内のハードウェアの集積論理回路またはソフトウェアの形態の命令によって達成され得る。上述したプロセッサは、汎用プロセッサ、ＤＳＰ（Ｄｉｇｉｔａｌ Ｓｉｇｎａｌ Ｐｒｏｃｅｓｓｏｒ）、ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＦＰＧＡ（Ｆｉｅｌｄ Ｐｒｏｇｒａｍｍａｂｌｅ Ｇａｔｅ Ａｒｒａｙ）、または他のプログラマブル論理デバイス、ディスクリートゲートまたはトランジスタ論理デバイス、ディスクリートハードウェアコンポーネントであってもよい。本願の実施例に開示された方法、ステップ、及び論理ブロック図は、具現されたり実行されたりすることができる。汎用プロセッサは、マイクロプロセッサであってもよいし、任意の従来のプロセッサなどであってもよい。本願の実施例に関連して開示される方法のステップは、ハードウェアの復号プロセッサによって実行されるように直接具現化されてもよく、又は復号プロセッサ内のハードウェア及びソフトウェアモジュールの組み合わせによって実行されるように具現化されてもよい。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で周知の記憶媒体内に配置され得る。記憶媒体はメモリに配置され、プロセッサは、メモリの情報を読み取り、そのハードウェアと共に、上記方法のステップを実行する。
【０１２０】
なお、本願の実施例におけるメモリは、揮発性メモリ又は不揮発性メモリであるか、又は揮発性メモリ及び不揮発性メモリの両方を含むことができることを理解されたい。ここで、不揮発性メモリは、ＲＯＭ、ＰＲＯＭ、ＥＰＲＯＭ、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってもよい。限定ではなく例示として、静的ランダムアクセスメモリ( Ｓｔａｔｉｃ ＲＡＭ、ＳＲＡＭ )、動的ランダムアクセスメモリ( Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、エンハンストシンクロナスダイナミックランダムアクセスメモリ( Ｅｎｈａｎｃｅｄ ＳＤＲＡＭ、ＥＳＤＲＡＭ )、シンクロナスリンクダイナミックランダムアクセスメモリ( Ｓｙｎｃｈｌｉｎｋ ＤＲＡＭ、ＳＬＤＲＡＭ )、およびダイレクトメモリバスランダムアクセスメモリ( Ｄｉｒｅｃｔ  Ｒａｍｂｕｓ  ＲＡＭ、ＤＲ ＲＡＭ )など、多くの形態のRAMが利用可能である。本明細書で説明するシステムおよび方法のメモリは、これらおよび任意の他の適切なタイプのメモリを含むことが意図されるが、これらに限定されない。
【０１２１】
上述したメモリは例示的なものであって限定的なものではないが、例えば、本願の実施例におけるメモリは、ＳＲＡＭ （ ｓｔａｔｉｃ ＲＡＭ ）、ＤＲＡＭ （ ｄｙｎａｍｉｃ ＲＡＭ )、ＳＤＲＡＭ （ ｓｙｎｃｈｒｏｎｏｕｓ ＤＲＡＭ ）、ＤＤＲ （ ＤＤＲ ＳＤＲＡＭ )のダブルデータレート同期型ダイナミックランダムアクセスメモリ、ｅｓｄｒａｍ （ ｅｎｈａｎｃｅｄ ＳＤＲＡＭ ）、ＳＬＤＲＡＭ （ ｓｙｎｃｈ ｌｉｎｋ ＤＲＡＭ )、ＤＲ ＲＡＭ （ Ｄｉｒｅｃｔ  Ｒａｍｂｕｓ  ＲＡＭ )等であってもよい。すなわち、本願の実施形態におけるメモリは、これら及び任意の他の適切なタイプのメモリを含むことが意図されるが、これらに限定されない。
【０１２２】
本願の実施例は、コンピュータプログラムを記憶するコンピュータ可読記憶媒体をさらに提供する。
【０１２３】
任意選択で、該コンピュータ読み取り可能な記憶媒体は、本願の実施例におけるネットワークデバイスに適用され、且つ該コンピュータプログラムは、コンピュータに、本願の実施例の各方法におけるネットワークデバイスにより実現される相応のフローを実行させ、簡潔にするために、ここではその説明を省略する。
【０１２４】
任意選択で、該コンピュータ読み取り可能な記憶媒体は、本願の実施例における端末デバイスに適用され、且つ該コンピュータプログラムは、コンピュータに、本願の実施例の各方法における移動端末/端末デバイスにより実現される相応のフローを実行させ、簡潔にするために、ここではその説明を省略する。
【０１２５】
本願の実施例は、コンピュータプログラム命令を含むコンピュータプログラム製品をさらに提供する。
【０１２６】
任意選択で、当該コンピュータプログラム製品は、本願の実施例におけるネットワークデバイスに適用され、当該コンピュータプログラム命令は、コンピュータに、本願の実施例の各方法におけるネットワークデバイスにより実現される対応するフローを実行させ、簡潔にするために、ここでその説明を省略する。
【０１２７】
任意選択で、当該コンピュータプログラム製品は、本願の実施例における端末デバイスに適用され、当該コンピュータプログラム命令は、コンピュータに、本願の実施例における各方法のうち、移動端末/端末デバイスにより実現される対応するフローを実行させ、簡潔にするために、ここでは説明を省略する。
【０１２８】
本願の実施例は、コンピュータプログラムをさらに提供する。
【０１２９】
任意選択で、該コンピュータプログラムは、本願の実施例におけるネットワークデバイスに適用されてもよく、該コンピュータプログラムがコンピュータ上で実行されると、コンピュータに本願の実施例の各方法におけるネットワークデバイスにより実現される対応するフローを実行させ、簡潔にするために、ここではその説明を省略する。
【０１３０】
任意選択で、該コンピュータプログラムは、本願の実施例における端末デバイスに適用されてもよく、該コンピュータプログラムがコンピュータ上で実行されると、コンピュータに本願の実施例の各方法における端末デバイスにより実現される対応するフローを実行させ、簡潔にするために、ここではその説明を省略する。 
当業者は、本明細書に開示された実施例に関連して説明された各例のユニット及びアルゴリズムステップが、電子ハードウェア、又はコンピュータソフトウェアと電子ハードウェアの組合せで実装され得ることを認識するであろう。これらの機能がハードウェアまたはソフトウェアのいずれの方法で実行されるかは、技術案の特定の適用例および設計制約に依存する。当業者は、説明された機能を実施するために、特定の適用例ごとに異なる方法を使用してもよいが、そのような実施は、本開示の範囲から逸脱すると見なされるべきではない。
【０１３１】
当業者であれば、説明の便宜及び簡潔のために、上記説明したシステム、装置及びユニットの具体的な動作過程は、上記方法の実施例における対応する過程を参照してもよく、ここでその説明が省略されることを理解するであろう。
【０１３２】
本明細書で提供されるいくつかの実施例では、開示されるシステム、装置、および方法は、他の方法で実施され得ることを理解されたい。例えば、上述した装置の実施形態は単なる例示であり、例えば、説明されたユニットの分割は、１つの論理機能の分割にすぎず、実際に実装される場合、追加の分割があってもよく、例えば、複数のユニット又は構成要素が別のシステムに結合されても、統合されてもよく、又は、一部の特徴が省略されても、実行されなくてもよい。別の点において、示された又は考察された相互の結合又は直接的な結合又は通信接続は、電気的、機械的又は他の形態の、何らかのインターフェース、装置又はユニットを介した間接的な結合又は通信接続であってもよい。
【０１３３】
前記分離手段として説明された手段は、物理的に分離されても、または分離されなくてもよく、手段として示された手段は、物理的な手段であっても、または分離されなくてもよく、すなわち、一箇所に位置してもよく、または複数のネットワーク要素に分散されてもよい。なお、本実施例の目的を達成するために、必要に応じて、その一部または全部を選択することができる。
【０１３４】
また、本願の各実施例における各機能ユニットは、１つの処理ユニットに集積されてもよいし、それぞれのユニットが物理的に別個に存在してもよいし、２つ以上のユニットが１つのユニットに集積されてもよい。
【０１３５】
また、これらの機能がソフトウェア機能として実現され、独立した製品として販売または利用される場合には、コンピュータ読み取り可能な記録媒体に格納されてもよい。このような理解に基づいて、本願の技術案は、本質的に、または、従来技術に貢献する部分、または、その技術案の部分を、記憶媒体に記憶されたソフトウェア製品の形態で具体化することができ、そのソフトウェア製品は、本願の各実施例で説明される方法のステップの全部または一部を、コンピュータ装置(パーソナルコンピュータ、サーバ、またはネットワークデバイスなどであってもよい)に実行させるための命令を含む。なお、前記記憶媒体としては、U-ディスク、ポータブルハードディスク、Ｒｅａｄ−Ｏｎｌｙ Ｍｅｍｏｒｙ、Ｒａｎｄｏｍ Ａｃｃｅｓｓ Ｍｅｍｏｒｙ、磁気ディスク、光ディスクなど種々のプログラムコードを記憶できるものを含む。
【０１３６】
以上のように、本願の実施例は、本願の技術的思想に基づいて説明されたが、本願は、上述の実施例に限定されるものではなく、本願の技術的思想に基づく当業者であれば、本願の技術的範囲に含まれる。したがって、本願の保護範囲は、特許請求の範囲の保護範囲によってのみ定められるべきである。
【図１】
2021530915.tif 000003
【図２】
2021530915.tif 000004
【図３】
2021530915.tif 000005
【図４】
2021530915.tif 000006
【図５】
2021530915.tif 000007
【図６】
2021530915.tif 000008
【図７】
2021530915.tif 000009
【図８】
2021530915.tif 000010
【図９】
2021530915.tif 000011
【図１０】
2021530915.tif 000012
【国際調査報告】
2021530915.tif 000013
2021530915.tif 000014
2021530915.tif 000015
2021530915.tif 000016